(57)【要約】【課題】機器の梱包状態での振動や衝撃から機器を守る柔軟性と、包装材を機器の作業台として利用する際の機器を保持する剛性とを両立させることを可能とした包装ユニットを提供する。【解決手段】包装ユニットは、ＰＰシートからなり逃げ形状部Ｘを有する第１の包装材１と、段ボールを折り曲げて組み立てられた平板部２ａと組み込み部２ｂを有する第２の包装材２を備える。第１の包装材１と第２の包装材２により包装した監視カメラ１００を入れた個装箱の開梱後は、第１の包装材１の監視カメラ１００を保持する面とは反対側の面から第２の包装材２を組み込む際に、第２の包装材２の組み込み部を第１の包装材１の外周部１ａの内側に嵌合させることで、第１の包装材１外周部１ａの強度を補強する。【選択図】図１
2011037506.tif 000002
【特許請求の範囲】
【請求項１】
第１の包装材と第２の包装材とで機器と挟み込んで梱包箱に梱包する包装ユニットであって、
前記第１の包装材には、前記機器の表面と接触しないように突出形成される突出部と、前記突出部の周囲を囲い、梱包時に前記梱包箱の内面に嵌合する外周部が形成され、
前記第２の包装材には、開梱後に、前記第１の包装材の前記機器を保持する面とは反対側の面から前記第２の包装材を組み込む際に、前記第１の包装材の前記突出部と前記外周部との間から前記外周部と嵌合する組み込み部が形成されていることを特徴とする包装ユニット。
【請求項２】
前記第２の包装材には、梱包時に、前記機器を押さえ込む平板部が形成されるとともに、前記平板部には、前記第１の包装材の前記機器を保持する面とは反対側の面から前記第２の包装材を組み込む際に、前記平板部を前記第１の包装材の前記突出部に嵌合するための開口を形成するための切断線が形成されていることを特徴とする請求項１に記載の包装ユニット。
【請求項３】
前記平板部には、前記切断線によって切断した部分を折り曲げることで折り曲げ部が形成されることを特徴とする請求項２に記載の包装ユニット。
【請求項４】
前記機器は球面形状部をもった機器であり、前記第１の包装材の前記突出部は前記球面形状部と接触しないように突出形成されることを特徴とする請求項１ないし３のいずれか１項に記載の包装ユニット。
【発明の詳細な説明】
【技術分野】
【０００１】
本発明は、機器を包装する包装材から構成される包装ユニットに関し、特に機器設置時の準備作業などで機器を保持する作業台として包装材を利用可能な包装ユニットに関する。
【背景技術】
【０００２】
従来、包装材で包装され箱に梱包された機器（例えば監視カメラなどの製品）を設置対象場所に設置する場合、設置現場では、包装材を開梱した機器の配線接続部を覆うカバーの開閉、配線接続部に対する配線作業などを行う必要がある。その場合に、包装材を機器を載置するための作業台として利用することがある。即ち、機器を包装している包装材を開梱して箱から取り出し、包装材に機器を載せて配線作業などを行うのである。
【０００３】
例えば監視カメラは保護が必要な円形ドーム部を有するため、監視カメラを包装する包装材には円形ドーム部を逃げる形状が施されている。即ち、監視カメラの円形ドーム部の鏡面はキズや汚れを嫌うので鏡面を保護する必要があるため、梱包時に包装材が円形ドーム部に触れないように包装材に円形ドーム部を逃げる形状が施されている。そこで、監視カメラの設置作業時に、監視カメラの円形ドーム部にキズや汚れが付かないようにするためには、すでに包装材に円形ドーム部を逃げる形状を施してある包装材を利用することは好都合である。
【０００４】
図６は、従来例に係る包装材に監視カメラを載せて作業台とした状態を示す斜視図である。（ａ）は、ドライバでネジを回す際に包装材が図示の矢印左方向に動く様子を示す斜視図、（ｂ）は、ドライバでネジを回す際に包装材が図示の矢印右方向に動く様子を示す斜視図である。
【０００５】
図６において、（ａ）、（ｂ）は、監視カメラ１０００の包装に使っていた包装材１１００を作業台にして監視カメラ１０００を載せ、監視カメラ１０００の裏蓋１００１の開閉を行うため、裏蓋１００１のネジ１００２をドライバ１２００で回す場合の例である。（ａ）の場合は、ドライバ１２００で裏蓋１００１のネジ１００２を回す際に、作業台である包装材１１００は剛性不足が原因で図示の矢印左方向に動くと共に変形した様子を示している。また、（ｂ）の場合は、ドライバ１２００で裏蓋１００１のネジ１００２を回す際に、作業台である包装材１１００は剛性不足が原因で図示の矢印右方向に動くと共に変形した様子を示している。
【０００６】
上記技術分野の関連技術としては以下のような技術が提案されている（例えば、特許文献１参照）。特許文献１に記載の提案は、設置安定性が良くない起立状態で使用する機器の下部を支持する転倒防止補助脚として機器の梱包材を利用するものである。
【先行技術文献】
【特許文献】
【０００７】
【特許文献１】特開平１０−２７８９８７号公報
【発明の概要】
【発明が解決しようとする課題】
【０００８】
しかしながら、上述した監視カメラなどの機器を包装する包装材は、梱包状態の機器を輸送時の振動や衝撃から保護するために、材質や構造などに柔軟性を要求されている。そのため、機器の設置作業時に、機器の包装に使っていた包装材を機器を載せるための作業台として利用するには剛性が不足するので、作業時に不安定感があり作業性が良くないという問題があった。
【０００９】
上記の図６の従来例では、監視カメラ１０００の包装に使っていた包装材１１００を作業台にして監視カメラ１０００を載せ、ドライバ１２００で裏蓋１００１のネジ１００２を回す際に、作業台である包装材１１００は剛性不足が原因で矢印方向に動いてしまう。そのため、作業者は手で作業台を押さえながら監視カメラ１０００の裏蓋の開閉や配線などの作業を行う必要があり、作業がやりにくいという問題があった。
【００１０】
本発明の目的は、機器の梱包状態での振動や衝撃から機器を守る柔軟性と、包装材を機器の作業台として利用する際の機器を保持する剛性とを両立させることを可能とした包装ユニットを提供することにある。
【課題を解決するための手段】
【００１１】
上記目的を達成するために、本発明は、第１の包装材と第２の包装材とで機器と挟み込んで梱包箱に梱包する包装ユニットであって、前記第１の包装材には、前記機器の表面と接触しないように突出形成される突出部と、前記突出部の周囲を囲い、梱包時に前記梱包箱の内面に嵌合する外周部が形成され、前記第２の包装材には、開梱後に、前記第１の包装材の前記機器を保持する面とは反対側の面から前記第２の包装材を組み込む際に、前記第１の包装材の前記突出部と前記外周部との間から前記外周部と嵌合する組み込み部が形成されていることを特徴とする。
【発明の効果】
【００１２】
本発明によれば、機器の梱包状態での振動や衝撃から機器を守る柔軟性と、包装材を機器の作業台として利用する際の機器を保持する剛性とを両立させることが可能となる。
【図面の簡単な説明】
【００１３】
【図１】本発明の第１の実施の形態に係る包装ユニットを構成する第１の包装材及び第２の包装材と監視カメラの構成を示す斜視図である。
【図２】第１の包装材及び第２の包装材と監視カメラを個装箱に梱包する状態を示す斜視図である。
【図３】（ａ）は、第１の包装材の底面部に第２の包装材を嵌合させた状態を示す上面図、（ｂ）は、（ａ）の矢視Ａ−Ａ線に沿う断面図、（ｃ）は、（ａ）の矢印Ｂ−Ｂ線に沿う断面図である。
【図４】本発明の第２の実施の形態に係る包装ユニットを示す図である。（ａ）は、ミシン目が形成された第２の包装材の斜視図、（ｂ）は、第２の包装材に開口部を形成した状態を示す斜視図である。（ｃ）は、第１の包装材の凸形状部Ｙと第２の包装材の開口部を示す斜視図、（ｄ）は、開梱して嵌合させた第１の包装材及び第２の包装材に監視カメラを載せて作業台とした状態を示す断面図である。
【図５】本発明の第３の実施の形態に係る包装ユニットを示す図である。（ａ）は、ミシン目が形成された第２の包装材の斜視図、（ｂ）は、第２の包装材に開口部及び折り曲げ部を形成した状態を示す斜視図である。（ｃ）は、第１の包装材の凸形状部Ｙと第２の包装材の開口部及び折り曲げ部を示す斜視図、（ｄ）は、開梱して嵌合させた第１の包装材及び第２の包装材に監視カメラを載せて作業台とした状態を示す断面図である。
【図６】従来例に係る包装材に監視カメラを載せて作業台とした状態を示す斜視図である。（ａ）は、ドライバでネジを回す際に包装材が図示の矢印左方向に動く様子を示す斜視図、（ｂ）は、ドライバでネジを回す際に包装材が図示の矢印右方向に動く様子を示す斜視図である。
【発明を実施するための形態】
【００１４】
以下、本発明の実施の形態を図面に基づいて説明する。
【００１５】
〔第１の実施の形態〕
図１は、本発明の第１の実施の形態に係る包装ユニットを構成する第１の包装材及び第２の包装材と監視カメラの構成を示す斜視図である。
【００１６】
図１において、包装ユニットは、第１の包装材１と第２の包装材２から構成されている。第１の包装材１と第２の包装材２は、機器（本実施の形態では監視カメラ１００）を包装すると共に後述の個装箱３（図２参照）に収納することが可能な形状に形成されている。監視カメラ１００は、第１の包装材１と第２の包装材２により包装される。監視カメラ１００は、半球状の円形ドーム部１０１と、平坦な取付面１０２と、該取付面１０２に設けられると共にネジ１０５を介して開閉が可能な裏蓋１０３と、表面カバー１０４を備えている。
【００１７】
第１の包装材１は、図示の矢印Ｙ１方向から第１の包装材１に載せられる監視カメラ１００を保護するための空間（後述の逃げ形状部）を有する略直方体形状に構成されている。第１の包装材１は、例えば真空成型により製作したポリプロピレン（ＰＰ）シートからなる板厚０．８ｍｍの柔軟性を有する薄肉形状の緩衝材として構成されている。第１の包装材１には、底面に向けて突出形成される突出部としての逃げ形状部Ｘが形成されている。
【００１８】
第１の包装材１の逃げ形状部Ｘは、監視カメラ１００を第１の包装材１に載置した際に監視カメラ１００の円形ドーム部１０１の形状を逃げるための（機器の球面形状部分に包装材が接触しないように保護するための）ものである。また、第１の包装材１の上側の開口を臨む段部は、監視カメラ１００を第１の包装材１に載せた際に監視カメラ１００の円形ドーム部１０１の上側に位置する表面カバー１０４の下端部分を保持する保持部７（図３（ｃ）参照）となっている。第１の包装材１には、逃げ形状部Ｘの周囲を囲い、梱包時に個装箱３（梱包箱）の内面に嵌合する外周部１ａが形成されている。梱包時に外周部１ａが個装箱３の内面と嵌合することで、個装箱３内で第１の包装材１ががたつくことなく、保持されている。
【００１９】
第２の包装材２は、第１の包装材１における保持部７（図３（ｃ）参照）とは反対側に位置する底面部に組み込んで嵌合させることが可能な形状に構成されている。第２の包装材２は、例えば板厚３ｍｍの段ボールを折り曲げて組み立てられた柔軟性を有する緩衝材として構成されている。第２の包装材２は、第１の包装材１に載せられた監視カメラ１００の取付面１０２を上部から押さえるための平板部２ａ（押さえ部）と、該平板部２ａの両側に連接された組み込み部２ｂから構成されている。
【００２０】
第２の包装材２は、図示の矢印Ｙ２方向に第１の包装材１の底面部側から第１の包装材１の逃げ形状部Ｘと外周部１ａとの間に組み込み部２ｂが位置するように組み込まれる。これにより、第２の包装材２と共に包装ユニットを構成する第１の包装材１の強度を増すことが可能となっている。尚、第２の包装材２を第１の包装材１に組み込んだ状態で、第１の包装材１及び第２の包装材２の幅方向の両端部には嵌合部４が形成される（図３参照）。
【００２１】
図２は、第１の包装材及び第２の包装材と監視カメラを個装箱に梱包する状態を示す斜視図である。
【００２２】
図２において、監視カメラ１００を梱包する時には、図示のように、第１の包装材１、監視カメラ１００、第２の包装材２の順で個装箱３に収納することで梱包する。第１の包装材１と第２の包装材２と個装箱３により監視カメラ１００を梱包した状態では、柔軟性を有する薄肉形状の第１の包装材１と柔軟性を有する段ボール（薄板）を折り曲げた第２の包装材２により、輸送時に個装箱３に加わる振動や衝撃が吸収される。これにより、監視カメラ１００を保護することが可能となっている。
【００２３】
梱包時には、監視カメラ１００を第１の包装材１と第２の包装材２とで包装すると共に個装箱３に収納する（図２参照）。また、第１の包装材１と第２の包装材２により監視カメラ１００を包装して収納していた個装箱３の開梱後は、次の組み込みを行う。即ち、第１の包装材１と第２の包装材２の位置関係を組み替えて第２の包装材２の組み込み部２ｂを第１の包装材１の逃げ形状部Ｘと外周部１ａとの間に組み込む（図１参照）。この組み込みにより、第１の包装材１の強度を補強する。これにより、監視カメラ１００の包装に使っていた第１の包装材１及び第２の包装材２を監視カメラ１００の設置作業を行う際の作業台として利用する場合、作業台としての剛性を得ることができる。
【００２４】
図３（ａ）は、第１の包装材の底面部に第２の包装材を嵌合させた状態を示す上面図、図３（ｂ）は、図３（ａ）の矢視Ａ−Ａ線に沿う断面図、図３（ｃ）は、図３（ａ）の矢印Ｂ−Ｂ線に沿う断面図である。
【００２５】
図３（ａ）〜（ｃ）において、第１の包装材１と第２の包装材２により監視カメラ１００を包装して収納していた個装箱３を開梱する。更に、第１の包装材１と第２の包装材２を監視カメラ１００の設置作業を行う際の作業台として使う場合は、次のような手順で組み立てを行う。
【００２６】
まず、個装箱３から第２の包装材２、監視カメラ１００、第１の包装材１の順で取り出す（図２参照）。次に、第１の包装材１の底面部から、第２の包装材２の組み込み部２ｂを第１の包装材１の逃げ形状部Ｘと外周部１ａとの間に組み込んで（差し込んで）嵌合させ（図１参照）、第１の包装材１と第２の包装材２を作業台として組み立てる（図３（ｂ）、（ｃ）参照）。この場合、第１の包装材１と第２の包装材２は、第１の包装材１の外周部１ａの内側と第２の包装材２の組み込み部２ｂは、嵌合部４で嵌合する。
【００２７】
第１の包装材１は、上述したように板厚０．８ｍｍのＰＰシートを真空成型で製造しているため、第１の包装材単体では撓みやすい構造である。そこで、第２の包装材２を第１の包装材１の外周部１ａの内側に組み込んで嵌合させることで、第１の包装材１の外周部１ａの変形を抑えて剛性を増大させることで、第１の包装材１に監視カメラ１００を載せた場合でも安定性を図るようにしている。
【００２８】
第１の包装材１に対する監視カメラ１００の載置に伴い、監視カメラ１００の円形ドーム部１０１の上側に位置する表面カバー１０４の下端部分は、第１の包装材１の上面部における段部である保持部７（図３（ｃ）の斜線で示す部分）により支持される。この場合、球面形状部である監視カメラ１００の円形ドーム部１０１は、第１の包装材１の逃げ形状部Ｘ内に収まる。これにより、監視カメラ１００の球面形状部である円形ドーム部１０１が保護されるため、円形ドーム部１０１に対するキズや汚れの付着を防止することができる。
【００２９】
作業者は、第１の包装材１と第２の包装材２を監視カメラ１００の設置作業を行う際の作業台として使う際に、第１の包装材１に支持させた監視カメラ１００に対して以下のような作業を安定して行うことができる。即ち、監視カメラ１００の裏蓋１０３のネジ１０５をドライバ（不図示）により外して裏蓋１０３を開け、監視カメラ１００内部の配線接続部に対するケーブルの配線作業や、監視カメラ１００に対するその他の調整作業などを安定して行うことができる。
【００３０】
以上説明したように、本実施の形態によれば、機器（本実施の形態では監視カメラ）の梱包状態での振動や衝撃から機器を守る柔軟性と、包装材を機器の作業台として利用する際の機器を保持する剛性とを両立可能とした包装ユニットを提供することができる。
【００３１】
〔第２の実施の形態〕
本発明の第２の実施の形態は、上記第１の実施の形態に対して、包装ユニットを構成する第２の包装材が図４で説明する点において相違する。本実施の形態のその他の要素は、上記第１の実施の形態の対応するものと同一なので説明を省略する。
【００３２】
図４（ａ）〜（ｄ）は、本実施の形態に係る包装ユニットを示す図である。図４（ａ）は、ミシン目が形成された第２の包装材の斜視図、図４（ｂ）は、第２の包装材に開口部を形成した状態を示す斜視図である。図４（ｃ）は、第１の包装材の凸形状部Ｙと第２の包装材の開口部を示す斜視図、図４（ｄ）は、開梱して嵌合させた第１の包装材及び第２の包装材に監視カメラを載せて作業台とした状態を示す断面図である。
【００３３】
図４（ａ）〜（ｄ）において、本実施の形態が上記第１の実施の形態と相違する点は、図４（ａ）に示すように、第２の包装材２における両側の組み込み部２ｂの間の平板部２ａ（押さえ部）に矩形のミシン目２ｃを形成した点である。
【００３４】
第２の包装材２のミシン目２ｃ（切断線）が形成されている平板部２ａは、第１の包装材１と第２の包装材２により監視カメラ１００を包装して個装箱３に梱包する際には監視カメラ１００の取付面１０２を押さえる役目を果たす。そのため、監視カメラ１００の取付面１０２を第２の包装材２の平板部２ａで押さえる強度が必要であるので、梱包時には第２の包装材２のミシン目２ｃは破らない。
【００３５】
図４（ｃ）に示すように、第１の包装材１には、監視カメラ１００の円形ドーム部１０１の形状を逃げるように（円形ドーム部１０１の表面に包装材が接触しないように保護するため）、底面部に向かって凸形状部Ｙが形成されている。図４（ｃ）の凸形状部Ｙは、図１の逃げ形状部Ｘを第１の包装材１の底面部の下方から見たものである。
【００３６】
第１の包装材１と第２の包装材２により監視カメラ１００を包装して収納していた個装箱３（図２参照）を開梱した後、図４（ｂ）に示すように、第２の包装材２のミシン目２ｃを破ってミシン目２ｃで囲まれた部分を除去すると、開口部５が生じる。第２の包装材２のミシン目２ｃで囲まれた部分すなわち開口部５の大きさは、第１の包装材１の凸形状部Ｙが嵌まり込むことが可能な大きさに予め設定されている。この場合、第１の包装材１に対する第２の包装材２の組み込みに伴い、第１の包装材１の凸形状部Ｙと第２の包装材２の開口部５とは、嵌合部６（図４（ｄ）参照）で嵌合する。したがって、第１の包装材１の凸形状部Ｙに第２の包装材２の開口部５が嵌り込むとともに、第１の包装材１の外周部１ａの変形を第２の包装材２の組み込み部２ｂが抑えることで、第１の包装材１の剛性を増大させることとなる。
【００３７】
図４（ｃ）、（ｄ）に示すように、個装箱（図２）の開梱後に、第１の包装材１と共に監視カメラ１００を包装していた第２の包装材２を監視カメラ１００の作業台として使用する際に、第１の包装材１の底面部側から第２の包装材２を組み込んで嵌合させる。これに伴い、第１の包装材１の凸形状部Ｙが第２の包装材２の開口部５に嵌まり込むことで、第１の包装材１と第２の包装材２が嵌合状態となる。
【００３８】
第１の包装材１と第２の包装材２は、第１の包装材１と第２の包装材２の幅方向の両端部の嵌合部４での嵌合に加えて、第１の包装材１の凸形状部Ｙが第２の包装材２の開口部５に嵌まり込む嵌合部６でも嵌合する。上記第１の実施の形態と比較し、第１の包装材１と第２の包装材２の間の２つの嵌合部４及び嵌合部９により、第２の包装材２により第１の包装材１を更に強く補強することができる。
【００３９】
以上説明したように、本実施の形態によれば、機器（本実施の形態では監視カメラ）の梱包状態での振動や衝撃から機器を守る柔軟性と、包装材を機器の作業台として利用する際の機器を保持する剛性とを両立可能とした包装ユニットを提供することができる。
【００４０】
〔第３の実施の形態〕
本発明の第３の実施の形態は、上記第１の実施の形態に対して、包装ユニットを構成する第２の包装材が図５で説明する点において相違する。本実施の形態のその他の要素は、上記第１の実施の形態の対応するものと同一なので説明を省略する。
【００４１】
図５は、第３の実施の形態に係る包装ユニットを示す図である。図５（ａ）は、ミシン目が形成された第２の包装材の斜視図、図５（ｂ）は、第２の包装材に開口部及び折り曲げ部を形成した状態を示す斜視図である。図５（ｃ）は、第１の包装材の凸形状部Ｙと第２の包装材の開口部及び折り曲げ部を示す斜視図、図５（ｄ）は、開梱して嵌合させた第１の包装材及び第２の包装材に監視カメラを載せて作業台とした状態を示す断面図である。
【００４２】
図５において、本実施の形態が上記第１の実施の形態と相違する点は、図５（ａ）に示すように、第２の包装材２における両側の組み込み部２ｂの間の平板部２ａ（押さえ部）に矩形のミシン目２ｃと直線のミシン目２ｄを形成した点である。
【００４３】
第２の包装材２のミシン目２ｃで囲まれる矩形部分の中央部に、ミシン目２ｄ（が形成されている。即ち、第２の包装材２のミシン目２ｄは、ミシン目２ｃにより囲まれる矩形部分を該ミシン目２ｄで分断するように形成されている。上記第２の実施の形態と同様に、第２の包装材２のミシン目２ｃとミシン目２ｄが形成されている平板部２ａは、梱包時には監視カメラ１００の取付面１０２を押さえる役目を果たすため、梱包時には第２の包装材２のミシン目２ｃとミシン目２ｄは破らない。
【００４４】
第１の包装材１と第２の包装材２と監視カメラ１００を収納していた個装箱３を開梱した後、図５（ｂ）に示すように、第２の包装材２のミシン目２ｃの一部とミシン目２ｄの全部を破ると、ミシン目２ｄを境に一対の折り曲げ部８が生じる。折り曲げ部８を観音開きにすると、開口部５が生じる。上記第２の実施の形態と同様に、第２の包装材２の開口部５の大きさは、第１の包装材１の凸形状部Ｙが嵌まり込むことが可能な大きさに予め設定されている。
【００４５】
図５（ｃ）、（ｄ）に示すように、個装箱（図２）の開梱後に、第１の包装材１と共に監視カメラ１００を包装していた第２の包装材２を監視カメラ１００の作業台として使用する際に、第１の包装材１の底面部側から第２の包装材２を組み込んで嵌合させる。これに伴い、第１の包装材１の凸形状部Ｙが第２の包装材２の開口部５に嵌まり込むことで、第１の包装材１と第２の包装材２が嵌合状態となる。したがって、第１の包装材１の凸形状部Ｙに第２の包装材２の開口部５が嵌り込むとともに、第１の包装材１の外周部１ａの変形を第２の包装材２の組み込み部２ｂが抑えることで、第１の包装材１の剛性を増大させることとなる。
【００４６】
その際、第２の包装材２の観音開きにした折り曲げ部８は、第１の包装材１の凸形状部Ｙとの嵌合部９において補強リブの機能を果たす。上記第２の実施の形態と比較し、第２の包装材２に形成した補強リブの機能を持つ折り曲げ部８により、第２の包装材２により第１の包装材１を更に強く補強することができる。
【００４７】
以上説明したように、本実施の形態によれば、機器（本実施の形態では監視カメラ）の梱包状態での振動や衝撃から機器を守る柔軟性と、包装材を機器の作業台として利用する際の機器を保持する剛性とを両立可能とした包装ユニットを提供することができる。
【００４８】
〔他の実施の形態〕
第１乃至第３の実施の形態では、包装ユニットを構成する第１の包装材をポリプロピレンにより形成し、第２の包装材を段ボールにより形成した場合を例に挙げたが、これに限定されるものではない。包装ユニットの柔軟性と剛性の両立が可能ならば、第１の包装材と第２の包装材を形成する材料として上記以外の任意の材料を使用することが可能である。
【００４９】
第２及び第３の実施の形態では、第２の包装材にミシン目を形成した場合を例に挙げたが、これに限定されるものではない。第２の包装材にミシン目を形成する代わりにスリット或いは切り込みなどを形成してもよい。
【００５０】
第１乃至第３の実施の形態では、包装ユニットにより包装する機器を監視カメラとした場合を例に挙げたが、これに限定されるものではない。包装ユニットにより監視カメラ以外の機器を包装する場合にも適用可能である。
【００５１】
第１乃至第３の実施の形態では、本発明の好ましい実施形態について説明したが、本発明はこれらの実施形態に限定されるものではない。本発明の要旨（主旨）を逸脱しない範囲内で種々の変形及び変更が可能である。
【符号の説明】
【００５２】
１  第１の包装材
２  第２の包装材
２ｃ、２ｄ  ミシン目
１００  監視カメラ
【図１】
2011037506.tif 000003
【図２】
2011037506.tif 000004
【図３】
2011037506.tif 000005
【図４】
2011037506.tif 000006
【図５】
2011037506.tif 000007
【図６】
2011037506.tif 000008